(57)【要約】【課題】ラチェット部材８の製造コストが且つロープリール４等の肉厚を得大きくしないでも充分な強度が得られて、小型軽量化が可能なリコイルスタータを提供する。【解決手段】ロープリール４に回動可能に設けたラチェット部材８を、リール支軸２に対して摩擦抵抗が付与されて回動可能に取り付けられたコントロール部材１５と係合させることによりラチェット部材８を外径方向に回動させて駆動プーリ１１と係合させ、駆動プーリ１１をロープリール４と一体に回転させるようにしたリコイルスタータにおいて、前記ラチェット部材８を円形断面の素材を屈曲成型して形成し、該ラチェット部材８をロープリール４の側面に回転自在に支持させる。【選択図】　　　図１
2004124825.tif 000002
【特許請求の範囲】
【請求項１】
エンジンのクランク軸線と同軸に配置されるリール支軸が形成されたスタータケースと、前記リール支軸に回動可能に支持されるとともに外周に形成されたリール部にリコイルロープが巻回されたロープリールと、該リコイルロープを巻き取る方向に前記ロープリールを回動付勢するリコイルゼンマイと、前記ロープリールの側面に回動可能に設けられエンジン側に設けられた駆動プーリと係合することにより駆動プーリへロープリールの回転を伝達させるようにしたラチェット部材と、前記ラチェット部材と当接されるように前記リール支軸に対して摩擦抵抗が付与されて回動可能に取り付けられたコントロール部材とにより構成され、前記ロープリールをエンジン始動方向に回転することにより前記ラチェット部材がコントロール部材と係合されて外径方向に突出するように回動されて、これによりラチェット部材が駆動プーリに係合して駆動プーリをロープリールと一体に回転させてエンジンを始動させるようにしたリコイルスタータにおいて、前記ラチェット部材が、円形断面の素材を屈曲成型して形成されており、該ラチェット部材がロープリールの側面に回転自在に支持されていることを特徴とするリコイルスタータ。
【請求項２】
前記ラチェット部材が、アーム部と該アーム部の一端側に直角に屈曲された回動軸部が形成されて成り、ロープリールには前記ラチェット部材の回動軸部を回動可能に軸支する支持穴と、ラチェット部材の回動突出位置でラチェット部材のアーム部の先端部と当接してラチェット部材の回動を規制する受け部材が形成され、前記ラチェット部材が前記支持穴を中心として回動してアーム部が外径方向に突出し、アーム部の他端が円筒状に形成された駆動プーリの端縁に形成された開口を貫挿して前記受け部材に係止されるようにしたことを特徴とする請求項１に記載のリコイルスタータ。
【請求項３】
前記ラチェット部材の回動軸部から直角方向に屈曲されたアーム部が、アーム部の中央部でく字形に屈曲されて形成されていることを特徴とする請求項１又は請求項２に記載のリコイルスタータ。
【請求項４】
前記ラチェット部材の先端面が駆動プーリの開口縁と係合しないように傾斜して切断されて形成されていることを特徴とする請求項１乃至請求項３の何れかに記載のリコイルスタータ。
【請求項５】
前記ラチェット部材のく字形に屈曲されたアーム部の駆動プーリの開口縁と係合する側面に平端面が形成されていることを特徴とする請求項１乃至請求項４の何れかに記載のリコイルスタータ。
【請求項６】
前記コントロール部材にはラチェット部材と当接される係合端縁が形成されるとともに、該コントロール部材がバネにより回転抵抗が付与された状態でリール支軸に回転可能に取り付けられており、ロープリールがエンジン始動方向に回転する際に前記係合端縁がラチェット部材と当接することによりラチェット部材のアーム部が外径方向に突出するように回動され、ロープリールがリコイルゼンマイにより逆方向に回転する際に前記係合端縁がラチェット部材から離反することによりラチェット部材のアーム部が内径方向に回動されるように付勢されていることを特徴とする請求項１乃至請求項５の何れかに記載のリコイルスタータ。
【請求項７】
前記スタータケースの外側面にエンジンの冷却風を導くための導風窓を形成するとともに、前記ロープリールの外周に形成されたリール部と中心側ボス部との間に前記スタータケースに形成した導風窓と対向した通風口を形成したことを特徴とする請求項１乃至請求項６の何れかに記載のリコイルスタータ。
【発明の詳細な説明】
【０００１】
【発明の属する技術分野】
本発明はリコイルロープを引っ張ることによりロープリールを回転させて、該ロープリールの回転を、ラチェット機構を介してエンジンのクランク軸に連結された駆動プーリ等の回転部材に伝達してエンジンを始動させるリコイルスタータに関する。
【０００２】
【従来の技術】
ロープリールに巻回されたリコイルロープを牽引することによりロープリールを回転させ、該ロープリールの回転をフライホイールマグネット又は駆動プーリ等の回転部材に伝達し、該回転部材に結合されたエンジンのクランク軸を回転してエンジンを始動させるようにしたリコイルスタータが知られており、上記ロープリールと回転部材との間にはリコイルロープを牽引してロープールがエンジン始動方向に回転される際に回転部材と係合して回転部材側に回転を伝達し、エンジンが始動した後又は、リコイルロープを巻き戻すためにロープリールがエンジン始動方向と反対方向に回転され際には回転部材と離脱してエンジン側の回転をロープリール側に伝えないようにし、又はロープリールの逆方向の回転を回転部材側に伝達させないように作用するラチェット機構が設けられている。
【０００３】
従来のリコイルスタータにおけるラチェット機構は、ロープリールに対して一端側で回転自在に支持されたラチェット爪を駆動プーリと係合させて該駆動プーリに回転を伝達させる際に、ラチェット爪の先端側をロープリールの一部に当接させることによりラチェット爪に加わる荷重を軽減させるようにしたものがある（例えば特許文献１参照）。この従来技術によれば、ラチェット爪は板状材料で形成された爪片の一端側に円柱状の基部が取り付けられることによって構成されており、前記円柱状の基部がロープリールに形成された穴内に挿入されてこの穴を中心として爪片が回転されるようにされている。
【０００４】
また、別の従来技術として、比較的厚さが薄い鋼板をく字形に屈曲させてラチェット爪を形成し、鋼板で形成されたラチェット爪の端縁部を円筒状に巻き込んで枢支部を形成し、この枢支部をロープリールの側面に形成した収容穴内に回動可能に収容するようにしたラチェット機構が知られている（例えば特許文献２参照）。この従来技術のラチェット爪では、鋼板をく字形に加工しその一端をカーリング成形して枢支部を形成することにより製造できるので安価に製造できるというメリットがある。
【０００５】
【特許文献１】
実公昭５５−４８７７８号公報（第１頁２欄３０行〜第２頁１段４行、図１）
【特許文献２】
実開平２−１２４２６８号公報（図５、図６）
【０００６】
【発明が解決しようとする課題】
上記従来技術によれば、ラチェット爪が板状材料と円柱材料とを一体に連結して生産する必要があり、これら各部品の製造工数と両部品の一体結合の製造工数が必要であり、全体として製品コストを上昇してしまうという問題が発生していた。また、後者の従来技術では、鋼板の端縁を円筒状に巻き込んで形成された枢支部を収容してラチェット爪を回動可能に支持する枢支穴が、完全な円形ではなく枢支穴の側面が鋼板で一体に形成されているラチェット爪の回動範囲にわたって開口されており、従って枢支穴の部分に充分な強度が得られず枢支穴を形成しているロープリールの肉厚を大きくする等の必要がある。
【０００７】
本発明は、上記従来技術の問題点を解決して、ラチェット部材の製造コストが且つロープリール等の肉厚を得大きくしないでも充分な強度が得られて、小型軽量化が可能なリコイルスタータを提供することを課題とする。
【０００８】
【課題を解決するための手段】
上記課題を解決するため本発明のリコイルスタータは、エンジンのクランク軸線と同軸に配置されるリール支軸が形成されたスタータケースと、前記リール支軸に回動可能に支持されるとともに外周に形成されたリール部にリコイルロープが巻回されたロープリールと、該リコイルロープを巻き取る方向に前記ロープリールを回動付勢するリコイルゼンマイと、前記ロープリールの側面に回動可能に設けられエンジン側に設けられた駆動プーリと係合することにより駆動プーリへロープリールの回転を伝達させるようにしたラチェット部材と、前記ラチェット部材と当接されるように前記リール支軸に対して摩擦抵抗が付与されて回動可能に取り付けられたコントロール部材とにより構成され、前記ロープリールをエンジン始動方向に回転することにより前記ラチェット部材がコントロール部材と係合されて外径方向に突出するように回動されて、これによりラチェット部材が駆動プーリに係合して駆動プーリをロープリールと一体に回転させてエンジンを始動させるようにしたリコイルスタータにおいて、前記ラチェット部材が、円形断面の素材を屈曲成型して形成されており、該ラチェット部材がロープリールの側面に回転自在に支持されていることを特徴とする。
【０００９】
また、請求項２の発明は、前記ラチェット部材が、アーム部と該アーム部の一端側に直角に屈曲された回動軸部が形成されて成り、ロープリールには前記ラチェット部材の回動軸部を回動可能に軸支する支持穴と、ラチェット部材の回動突出位置でラチェット部材のアーム部の先端部と当接してラチェット部材の回動を規制する受け部材が形成され、前記ラチェット部材が前記支持穴を中心として回動してアーム部が外径方向に突出し、アーム部の他端が円筒状に形成された駆動プーリの端縁に形成された開口を貫挿して前記受け部材に係止されるようにしたことを特徴とする。
【００１０】
また、請求項３の発明は、前記ラチェット部材の回動軸部から直角方向に屈曲されたアーム部が、アーム部の中央部でく字形に屈曲されて形成されていることを特徴とする。
【００１１】
また、請求項４の発明は、前記ラチェット部材の先端面が駆動プーリの開口縁と係合しないように傾斜して切断されて形成されていることを特徴とする。
【００１２】
また、請求項５の発明は、前記ラチェット部材のく字形に屈曲されたアーム部の駆動プーリの開口縁と係合する側面に平端面が形成されていることを特徴とする。
【００１３】
また、請求項６の発明は、前記コントロール部材にはラチェット部材と当接される係合端縁が形成されるとともに、該コントロール部材がバネにより回転抵抗が付与された状態でリール支軸に回転可能に取り付けられており、ロープリールがエンジン始動方向に回転する際に前記係合端縁がラチェット部材と当接することによりラチェット部材のアーム部が外径方向に突出するように回動され、ロープリールがリコイルゼンマイにより逆方向に回転する際に前記係合端縁がラチェット部材から離反することによりラチェット部材のアーム部が内径方向に回動されるように付勢されていることを特徴とする。
【００１４】
また、請求項７の発明は、前記スタータケースの外側面にエンジンの冷却風を導くための導風窓を形成するとともに、前記ロープリールの外周に形成されたリール部と中心側ボス部との間に前記スタータケースに形成した導風窓と対向した通風口を形成したことを特徴とする。
【００１５】
【発明の実施の形態】
以下、図面に示す実施例に基づいて本発明の実施の形態を説明する。本発明のリコイルスタータは図１に示すように、リコイルスタータの主要構成を収容するとともにエンジンの側面部を覆うように形成されたスタータケース１の内側面には、エンジンのクランク軸と対向するようにリール支軸２が形成されており、このリール支軸２に外周にリコイルロープ３を巻回したロープリール４が回転自在に装着されている。図２に示すように一端がロープリール４に固定されてロープリール４の外周に形成されたリール部４ａに巻回されているリコイルロープ３の他端側が、図３に示すようにスタータケース１に形成された開口５からスタータケース１の外方に引き出されており、このリコイルロープ３の他端側を牽引することによりロープリール４がリール支軸２を中心として回転駆動される。
【００１６】
前記ロープリール４の側面とスタータケース１の内壁面に形成されたリール支軸２の外周面との間には、リコイルロープ３の牽引により回転されたロープリール４を逆方向に回転させて、引き出されたリコイルロープ３をロープリール４に巻き戻すためのリコイルゼンマイ６が配置されている。リコイルゼンマイ６の内周側の一端側は前記リール支軸２に、そして外周側の他端部が前記ロープリール４に固定されており、リコイルロープ３を引っ張り操作してロープリール４が回転される際に前記リコイルゼンマイ６に回転力が蓄力されて、リコイルロープ３を離すことによりリコイルゼンマイ６に蓄力された回転力でロープリール４を逆方向に回転させてスタータケース１の外側へ引き出されたリコイルロープ３をロープリール４に巻き戻すように作動する。
【００１７】
図４に示すようにロープリール４の側面には前記リール支軸２の軸線と平行な軸線の支持穴７が形成されており、該支持穴７内にラチェット部材８が回動可能に支持されており、このラチェット部材８がエンジンのクランク軸に取り付けられる駆動プーリ１１と係合することによって、ロープリール４のエンジン始動方向の回転が駆動プーリ１１へ伝達されるようにされている。
【００１８】
図５に示すようにラチェット部材８は、鋼材等の断面が円形の丸棒材を所定長さに切断した後、一端側をほぼ直角に屈曲形成して前記支持穴７内に挿入される回動軸部９を形成し、この回動軸部９から直角に延びた残余の部分がほぼ中央部で水平方向にく字状に屈曲されたアーム部１０が形成されている。図６に示すように、ラチェット部材８はロープリール４の支持穴７内に挿入された回動軸部９を中心として、アーム部１０の基部がロープリール４のボス部４ｂの外周面と当接される位置から、アーム部１０の先端部がロープリール４の外径方向に形成されている受け部材１２の受け面１２ａと当接される位置間で回動可能に支持される。更に前記支持穴７の近傍にはバネ受け１３が形成されており、該バネ受け１３に保持された捩りコイルバネ１４が前記ラチェット部材８に作用されてラチェット部材８はアーム部１０の基部がロープリール４のボス部４ｂの外周面と当接される位置に向けて付勢されている。上記ラチェット部材８はロープリール４の回転と一体に回転される。
【００１９】
図１に示すように、前記リール支軸２の端面にはコントロール部材１５がワッシャ１７とバネ１８を介してネジ２３によって取り付けられており、このコントロール部材１５によって前記ロープリール４のリール支軸２からの抜け止めが形成されている。該コントロール部材１５は前記ワッシャ１７とバネ１８によってリール支軸２に対して所定の回転抵抗が付与された状態で回転可能に支持されており、このコントロール部材１５の周壁の一部が切り欠かれて前記ラチェット部材８のアーム部１０と当接する係合端縁１６が形成されている。係合端縁１６はラチェット部材８がロープリール４の回転に伴って回転されるときにラチェット部材８のアーム部１０と係合して、ラチェット部材８をアーム部１０の先端部がロープリール４の外径方向に形成されている受け部材１２の受け面１２ａと当接される方向へ回動させる。ラチェット部材８の先端が受け部材１２の受け面１２ａと当接した後はコントロール部材１５は前記回転抵抗に抗してロープリール４と一体に回転される。
【００２０】
エンジンのクランク軸に一体に結合される駆動プーリ１１の端部は円筒状に形成されており、該駆動プーリ１１の端縁に近い円周壁に周壁の一部が切除された複数の開口１９が円周方向に等間隔に形成されている。この駆動プーリ１１をエンジンのクランク軸に取り付けた状態で、リコイルスタータのスタータケース１をエンジンに取り付けると、駆動プーリ１１の円筒状の端縁部がリコイルスタータの前記コントロール部材１５の外周と前記ロープリール４に形成された受け部材１２との間に配置されて、前記ラチェット部材８のアーム部１０の端部が外径方向に回動されたときにアーム部１０が開口１９を貫通して駆動プーリ１１の外周側に突出されてアーム部１０が前記開口１９の端縁と係合することによって、ロープリール４の回転がラチェット部材８を介して駆動プーリ１１側に伝達される。
【００２１】
図５に示すように、ラチェット部材８の先端部背面側には丸棒素材の外周面を圧潰加工等により形成した平坦面１０ａが形成されており、この平坦面１０ａが前記駆動プーリ１１に形成された開口１９の縁部と当接して駆動プーリ１１側へ回転力を伝達するようにしている。また、ラチェット部材８のアーム部１０が外径方向に回動されたときにアーム部１０の先端面が駆動プーリ１１の開口１９の縁と係合してクラッチしてしまうことを防止するため、ラチェット部材８のアーム部１０の先端は傾斜面１０ｂに形成されており、図６の一点鎖線で示すようにアーム部１０の先端面が駆動プーリ４の開口１９の端縁と係合しないようにされている。
【００２２】
前記スタータケース１の側面にはエンジンを冷却するための冷却空気をエンジン内部へ導入させるための導風窓２０が形成されており、前記ロープリール４の外周に形成されたリール部４ａと中央部のボス部４ｂとの間には、半径方向に延びた多数のリブ２１が形成され該リブ２１の間にロープリール４の一側から他側へ貫通した通風口２２が形成されている。この通風口２２は前記スタータケース１の側面に形成された導風窓２０と対向して形成されており、エンジンを冷却する冷却風がスタータケース１の通風窓２０とロープリール４の通風口２２を透してエンジン内へ流入されるようにしている。このようにロープリール４に通風口２２を形成して冷却風を透過させるようにすることにより、ロープリール４の外径を大きく形成しても、エンジンへの冷却空気の流通を良好にでき、エンジンの冷却を効率よく行わせることができる。
【００２３】
上記実施例のリコイルスタータの作動について説明する。エンジンの始動操作前では、図２に示すように、ラチェット部材８は捩りコイルバネ１４の作用でアーム部１０の背面がロープリール４のボス部４ｂと当接した内側に回動された状態にあり、先端部が駆動プーリ１１と離反された状態に配置されている。リコイルロープ３を牽引することによってロープリール４が回転されると、ロープリール４と一体にラチェット部材８が回転される。コントロール部材１５は所定の回転抵抗でリール支軸２に取り付けられているので回転せず、図７に示すようにラチェット部材８のアーム部１０がコントロール部材１５の係合端縁１６と当接される。
【００２４】
更にロープリール４が回転されるとラチェット部材８も回転するが、ラチェット部材８のアーム部１０の先端側は係合端縁１６と当接して回転が阻止され、従ってラチェット部材８は回動軸部９を中心としてアーム部１０の先端部が外径方向に突出するように回動される。図８に示すように、ラチェット部材８の外周側に駆動プーリ１１の開口１９間に形成されている周壁面が位置している場合にはラチェット部材８の先端が駆動プーリ１１の周壁面と当接して回動が阻止されるが、コントロール部材１５をロープリール４と一体に回転させながらラチェット部材８の先端が周壁の内面を滑って、ラチェット部材８の先端が駆動プーリ１１の開口１９に至るまで回転される。
【００２５】
ラチェット部材８のアーム部１０の先端が駆動プーリ１１の開口１９に至るまで回転されると、ラチェット部材８はコントロール部材１５の係合端縁１６により更に回動されてアーム部１０の先端部がロープリール４の外周側に形成されている受け部材１２の受け面１２ａと当接して回動が停止される。この後コントロール部材１５は前記バネ１８による回転抵抗に抗してロープリール４と一体にエンジン始動方向に回転される。更に駆動プーリ１１の開口１９の縁とラチェット部材８のアーム部１０に形成されている平坦面１０ａが係合して駆動プーリ１１がロープリール４と一体に回転されてエンジンを始動させる。
【００２６】
エンジンが始動した後は、クランク軸がエンジン始動方向に回転することにより駆動プーリ１１が回転され駆動プーリ１１の開口の反対側の端縁がラチェット部材８と係合して、ラチェット部材８をアーム部１０が内径方向に移動するように回動させて、これによりラチェット部材８が駆動プーリ１１から離反してエンジン側の回転がロープリール４に伝達されることはない。ラチェット部材８のアーム部１０が内径方向に回動される間コントロール部材１５が回転抵抗に抗して回転される。また、エンジンが始動しなかった場合には、リコイルロープ２を緩めることによりリコイルゼンマイ６に蓄力された回転力でロープリール４が逆方向に回転されてリコイルロープ２をロープリール４に巻き戻す。この際にラチェット部材８もロープリール４と一体に逆方向に回転して、ラチェット部材８のアーム部１０の背面側がコントロール部材１５の係合端縁１６から離反することによってラチェット部材８が捩りコイルバネ１４の作用によってアーム部１０が内径方向に回動して駆動プーリ１１から離反する。
【００２７】
【発明の効果】
以上のように、本案によれば、ラチェット部材を円形断面の素材を屈曲成型して形成し、該ラチェット部材をロープリールの側面に回転自在に支持させるようにしているので、例えば金属製の丸棒材をプレス加工のみでラチェット部材を製造することが可能であり、ラチェット部材の製造工数が少なく製造コストが低減できる。
【００２８】
請求項２の発明によれば、ラチェット部材の一端側に直角に屈曲された回動軸部を形成し、ロープリールに形成した支持穴内に回動軸部を挿入して支持させるようにしているので、支持穴が完全な円形の穴として形成でき支持穴の周辺の強度が充分に確保でき、更に、ラチェット部材のアーム部の端部をロープリールに形成した受け部材によって係止させるようにしているので、ロープリールの肉厚を大きくしないでも充分な強度が確保でき、リコイルスタータの小型軽量化が可能となる。
【００２９】
請求項３の発明によれば、ラチェット部材のアーム部がアーム部の中央部でく字形に屈曲されて形成されているので、ラチェット部材を小さい作動角度でアーム部を駆動プーリと当接される位置まで突出させることができ、遊びの回転角度が小さくでき効率よくロープリールの回転を駆動プーリへ伝達させることができる。
【００３０】
請求項４の発明によれば、ラチェット部材の先端を傾斜して切断して傾斜面を形成しているので、ラチェット部材の先端面が駆動プーリの開口の端縁と係合しロックしてしまうことが防止できる。
【００３１】
請求項５の発明によれば、前記ラチェット部材のアーム部の駆動プーリと係合する側面に平担面を形成しているので、駆動プーリとの接触面が大きくなりラチェット部材の摩耗が防止できリコイルスタータの耐久性を向上させることができる。
【００３２】
請求項６の発明によれば、ラチェット部材の回動を、ロープリールがエンジン始動方向に回転する際にラチェット部材をバネにより回転抵抗が付与されたコントロール部材に当接させることにより、ラチェット部材を外径方向に突出するように回動させるようにしているので、ラチェット部材を回動作動させる構成が簡単となり、リコイルスタータの小型軽量化が可能となる。
【００３３】
更に、請求項７の発明によれば、スタータケースの外側面にエンジンの冷却空気を導くための導風窓を形成するとともに、前記ロープリールの外周に形成されたリール部と中心側のボス部との間に前記導風窓と対向した通風口を形成したので、リコイルロープの牽引荷重を小さくするためにロープリールの外径を大きく形成した場合でも、ロープリールによってエンジンの冷却空気の流通が遮断されることが無く、エンジンの冷却を効率よく行わせることが可能となる。
【図面の簡単な説明】
【図１】本発明の実施例によるリコイルスタータの縦断側面図
【図２】図１と同じリコイルスタータの正面図
【図３】図１におけるＡ−Ａ線での断面図
【図４】図１と同じリコイルスタータの主要な部品構成を示す斜視図
【図５】図１の実施例に使用されているラチェット部材の斜視図
【図６】ラチェット部材の作動状態を示す図３と同じ断面図
【図７】ラチェット部材がコントロール部材と当接した状態の図３と同じ断面図
【図８】ラチェット部材の先端が駆動プーリと当接する位置まで回動した状態の図３と同じ断面図
【図９】ラチェット部材が受け部材と当接するまで回動された状態の図３と同じ断面図
【図１０】ラチェット部材と駆動プーリが係合して駆動プーリがロープリールにより回転されている状態を示す図３と同じ断面図
【符号の説明】
１　スタータケース
２　リール支軸
４　ロープリール
４ａ　リール部
４ｂ　ボス部
７　支持穴
８　ラチェット部材
９　回動軸部
１０　アーム部
１０ａ　平坦面
１０ｂ　傾斜面
１１　駆動プーリ
１２　受け部材
１４　捩りコイルバネ
１５　コントロール部材
１６　係合端縁
１９　開口
２０　導風窓
２２　通風口
【図１】
2004124825.tif 000003
【図２】
2004124825.tif 000004
【図３】
2004124825.tif 000005
【図４】
2004124825.tif 000006
【図５】
2004124825.tif 000007
【図６】
2004124825.tif 000008
【図７】
2004124825.tif 000009
【図８】
2004124825.tif 000010
【図９】
2004124825.tif 000011
【図１０】
2004124825.tif 000012